(57)【要約】【課題】施錠および開錠の操作性を低下させることなく、不正な解錠を確実に防止することができるサムターンを提供する。【解決手段】サムターン１０は、錠前の施錠を行う施錠位置と錠前の開錠を行う開錠位置との間を少なくとも回動可能なサムターンカム３０と、サムターン３０を回動させる駆動部４０と、駆動部４０を介してサムターンカム３０を回動させることが可能な回動可能状態、および、駆動部４０を介してサムターンカム３０を回動させることが不能な回動不能状態の切り替えが可能な操作部５０と、操作部５０を回動可能状態または回動不能状態にすることが可能で、操作部５０を回動可能状態にした場合には、操作部５０の駆動力を駆動部４０に伝達する動力伝達手段として機能し、操作部５０を回動不能状態にした場合には、動力伝達手段としての機能を失うキー９０と、を有して構成されている。【選択図】図１
2008050756.tif 000002
【特許請求の範囲】
【請求項１】
錠前の施錠を行う施錠位置と前記錠前の開錠を行う開錠位置との間を少なくとも回動可能なサムターンカムと、
前記サムターンを回動させる駆動部と、
前記駆動部を介して前記サムターンカムを回動させることが可能な回動可能状態、および、前記駆動部を介して前記サムターンカムを回動させることが不能な回動不能状態の切り替えが可能な操作部と、
前記操作部を前記回動可能状態または前記回動不能状態にすることが可能で、前記操作部を前記回動可能状態にした場合には、前記操作部の駆動力を前記駆動部に伝達する動力伝達手段として機能し、前記操作部を前記回動不能状態にした場合には、前記動力伝達手段としての機能を失うキーと、を有して構成されていることを特徴とする、
サムターン。
【請求項２】
前記操作部は、前記キーの少なくとも一部が挿入可能な鍵穴を有し、前記キーが前記鍵穴に挿入された場合に前記回動可能状態となり、前記キーが前記鍵穴から抜かれた場合に前記回動不能状態となることを特徴とする、
請求項１に記載のサムターン。
【請求項３】
前記操作部は、前記キー全体が収容可能に構成されていることを特徴とする、
請求項２に記載のサムターン。
【請求項４】
前記操作部は、前記サムターンカムの回動が可能となる操作可能位置、および、前記サムターンカムの回動が制限される操作制限位置の２つの位置を有する摘みを備えたことを特徴とする、
請求項１〜３のいずれかに記載のサムターン。
【請求項５】
前記摘みを前記操作可能位置から前記操作制限位置に付勢する摘み付勢手段を備えたことを特徴とする、
請求項４に記載のサムターン。
【発明の詳細な説明】
【技術分野】
【０００１】
本発明は、不正な解錠を防止することが可能なサムターンに関する。
【背景技術】
【０００２】
従来より、扉の室内側に取り付けられ、摘みを把持して回転させることによって扉の錠前の施錠および開錠を行うサムターンが広く知られているが、近年、扉に設けられた窓、扉の隙間などから工具等を挿入し、サムターンの摘みを回転させて錠前を不正に解錠する、いわゆる「サムターン回し」が問題となっている。
【０００３】
このような従来の問題を解決する一手段として、例えば特許文献１には、摘みの近傍に設けられた一対のボタンが同時に押された場合にだけ摘みの回転を許容し、錠前の施錠および開錠を可能としたサムターンが提案されている。
【特許文献１】特開２００６−１６９９４６号公報
【発明の開示】
【発明が解決しようとする課題】
【０００４】
しかしながら、上記特許文献１に記載のサムターンは、一対のボタンを押しながら摘みを回転させる必要があり、施錠または開錠の操作が煩雑で、操作性が悪いといった問題点があった。
【０００５】
本発明は、このような問題点を解決するためになされたものであって、施錠および開錠の操作性を低下させることなく、不正な解錠を確実に防止することができるサムターンを提供することを目的とする。
【課題を解決するための手段】
【０００６】
本発明は、以下の手段によって、上記課題を解決したものである。
【０００７】
（１）本発明は、錠前の施錠を行う施錠位置と前記錠前の開錠を行う開錠位置との間を少なくとも回動可能なサムターンカムと、前記サムターンを回動させる駆動部と、前記駆動部を介して前記サムターンカムを回動させることが可能な回動可能状態、および、前記駆動部を介して前記サムターンカムを回動させることが不能な回動不能状態の切り替えが可能な操作部と、前記操作部を前記回動可能状態または回動不能状態にすることが可能で、前記操作部を前記回動可能状態にした場合には、前記操作部の駆動力を前記駆動部に伝達する動力伝達手段として機能し、前記操作部を前記回動不能状態にした場合には、前記動力伝達手段としての機能を失うキーと、を有して構成されていることを特徴とする、サムターンである。
【０００８】
（２）本発明はまた、前記操作部は、前記キーの少なくとも一部が挿入可能な鍵穴を有し、前記キーが前記鍵穴に挿入された場合に前記回動可能状態となり、前記キーが前記鍵穴から抜かれた場合に前記回動不能状態となることを特徴とする、前記（１）に記載のサムターンである。
【０００９】
（３）本発明はまた、前記操作部は、前記キー全体が収容可能に構成されていることを特徴とする、前記（２）に記載のサムターンである。
【００１０】
（４）本発明はまた、前記操作部は、前記サムターンカムの回動が可能となる操作可能位置、および、前記サムターンカムの回動が制限される操作制限位置の２つの位置を有する摘みを備えることを特徴とする、前記（１）〜（３）のいずれかに記載のサムターンである。
【００１１】
（５）本発明はまた、前記摘みを前記操作可能位置から前記操作制限位置に付勢する摘み付勢手段を備えたことを特徴とする、前記（４）に記載のサムターンである。
【発明の効果】
【００１２】
本発明に係るサムターンによれば、錠前の施開錠を行うためには、操作部を回動可能状態とし、且つ、操作部と駆動部の動力伝達を行わせるキーを使用する必要があるため、不正な解錠を確実に防止することができる。
【００１３】
また、操作部は、キーの少なくとも一部が挿入可能な鍵穴を有し、キーが鍵穴に挿入された場合に回動可能状態となり、キーが鍵穴から抜かれた場合に回動不能状態となるようにすれば、キーの抜き差しによって回動可能状態と回動不能状態を容易に切り替えることができ、施錠および開錠の操作性を高めることができる。
【００１４】
また、操作部が、キー全体が収容可能に構成されていれば、サムターンの操作時にキーが邪魔になることがなく、操作性を高めることができる上に、キーを目立たなくすることができ、外観を損なうことがない。
【００１５】
また、前記操作部が、前記サムターンカムの回動が可能となる操作可能位置、および、前記サムターンカムの回動が制限される操作制限位置の２つの位置を有する摘みを備えれば、錠前の施開錠を行うためには、摘みを操作制限位置から操作可能位置とする操作が必要で、不正な解錠をより確実に防止することができる。
【００１６】
また、前記摘みを前記操作可能位置から前記操作制限位置に付勢する摘み付勢手段を備えれば、錠前の施開錠を行うためには、摘み付勢手段の付勢力に逆らって摘みを操作する必要があり、不正な解錠をより確実に防止することができる。
【発明を実施するための最良の形態】
【００１７】
以下、図面を用いて、本発明の実施形態に係るサムターンについて詳細に説明する。
【００１８】
＜全体構成＞
【００１９】
まず、サムターンの全体構成について説明する。
【００２０】
図１（ａ）および（ｂ）は本実施形態に係るサムターンの略示断面図である。
【００２１】
同図に示されるように、本実施形態に係るサムターン１０は、主として、サムターン座２０と、錠前（図示省略）の施錠を行う施錠位置と錠前の開錠を行う開錠位置との間を回動可能なサムターンカム３０と、このサムターンカム３０を回動させる駆動部４０と、施錠または解錠の操作を行う操作部５０と、この操作部５０に収容可能なキー９０と、によって構成されている。
【００２２】
図２はサムターン１０を扉１２の室内側に取り付けた様子を示す外観斜視図である。
【００２３】
サムターン１０の操作部５０を操作してサムターンカム３０を施錠位置まで回動すると、錠前のデッドボルト１４が扉１０の外側に突出し、扉１０は施錠状態となる。一方、サムターン１０の操作部５０を操作してサムターンカム３０を開錠位置まで回動すると、錠前のデッドボルト１４が扉１０の内側に引っ込んで、扉１０は開錠状態となる。なお、本発明に係る錠前の構造は特に限定されるものではなく、サムターンカム３０の回動によって施錠および開錠が可能な従来公知の錠前を採用することができる。
【００２４】
＜サムターン座＞
【００２５】
次に、サムターン座２０について説明する。
【００２６】
図３（ａ）はサムターン座２０を前方から見た外観斜視図であり、同図（ｂ）はサムターン座２０を後方から見た外観斜視図である。
【００２７】
このサムターン座２０は、円柱形状の内壁２０Ａと、前方から後方に向かって大径となる側面視が台形形状の外壁２０Ｂを有して構成されている。内壁２０Ａの後方開口部には、後方開口部の中心に向かって突出する環状のスプリング受け２０Ｃが形成されている。
【００２８】
＜サムターンカム＞
【００２９】
次に、サムターンカム３０について説明する。
【００３０】
図４は（ａ）はサムターンカム３０の略示平面図であり、同図（ｂ）は同図（ａ）の矢視ｂから見た略示側面図であり、同図（ｃ）は同図（ａ）の矢視ｃから見た略示正面図である。
【００３１】
サムターンカム３０は、環状部３０Ａと、この環状部３０Ａを基端として環状部３０Ａの径方向外側に向かって突出成形されると共に略Ｌ字形状に折り曲げられた２つの操作片３０Ｂによって構成されている。サムターンカム３０の環状部３０Ａには、その内周部に操作片３０Ｂと同方向に矩形状の凹部３０Ｃが形成されている。サムターンカム３０の操作片３０Ｂは、図示しない錠前の施開錠機構に係合可能に配置され、サムターンカム３０の回動によって錠前の施錠または開錠が行われる。
【００３２】
＜駆動部＞
【００３３】
次に、駆動部４０について説明する。
【００３４】
図１に示されるように、駆動部４０は、主として、サムターン本体４１と、サムターン軸４２と、連結カム４３と、連結板４４と、によって構成されている。
【００３５】
＜サムターン本体＞
【００３６】
まず、サムターン本体４１について説明する。
【００３７】
図５（ａ）はサムターン本体４１を前方から見た外観斜視図であり、同図（ｂ）はサムターン本体４１を後方から見た外観斜視図である。また、図６（ａ）はサムターン本体４１をフランジ部側から見た略示正面図であり、同図（ｂ）は同図（ａ）のｂ線に沿う略示側断面図である。
【００３８】
サムターン本体４１は、円筒形状の本体部４１Ａと、この本体部４１Ａの一端側に一体成形されたフランジ部４１Ｂによって構成されている。また、本体部４１Ａは、図６（ｂ）に示されるように、サムターンカム３０が収容される大径部４１Ｃと、この大径部４１Ｃの内径よりも小さな内径を有する小径部４１Ｄと、を有して構成されている。
【００３９】
本体部４１Ａの大径部４１Ｃの内径は、サムターンカム３０の外径よりも小さく、また、大径部４１Ｃの軸方向長さは、サムターンカム３０の操作片３０Ｂの長さよりも短い。したがって、サムターンカム３０を大径部４１Ｃの内側空間に収容した場合、サムターンカム３０の操作片３０Ｂの先端は、大径部４１Ｃの開口部から突出した状態となる（図１７（ｂ）参照）。
【００４０】
本体部４１Ａの小径部４１Ｄには、大径部４１Ｃの内径よりも小さな外径を有する円形の開口部４１Ｅが形成されている。この開口部４１Ｅは、後述するサムターン軸４２の保持部４２Ａを、サムターン本体４１の前方から後方に突出させて配置するためのものである。
【００４１】
また、小径部４１Ｄには、軸方向に貫通する２つの貫通孔４１Ｆと、４つのネジ孔４１Ｇが形成されている。なお、貫通孔４１Ｆには、サムターン本体４１を扉１２などに取り付けるための長寸の取付ネジ（図示省略）が挿通され、ネジ孔４１Ｇには、キャップ５１をサムターン本体４１に取り付けるための短寸の取付ネジ（図示省略）が螺合される。
【００４２】
サムターン本体４１のフランジ部４１Ｂの外径は、サムターン座２０の内径よりも小さく、サムターン本体４１はサムターン座２０の内側空間内に挿入可能である。また、フランジ部４１Ｂの一端側面４１Ｈと、サムターン座２０のスプリング受け２０Ｃとの間には、コイルスプリング６２（図１（ｂ）参照）が配設され、サムターン本体４１は、このコイルスプリング６２によってサムターン座２０から遠ざかる方向に付勢される。
【００４３】
＜サムターン軸＞
【００４４】
次に、サムターン軸４２について説明する。
【００４５】
図７（ａ）はサムターン軸４２を前方から見た外観斜視図であり、同図（ｂ）はサムターン軸４２を後方から見た外観斜視図である。また、図８（ａ）はサムターン軸４２を前方から見た略示平面図であり、同図（ｂ）は同図（ａ）のｂ線に沿う略示側断面図である。
【００４６】
サムターン軸４２は、サムターンカム３０を保持する保持部４２Ａと、連結カム４３が嵌合される円筒形状の嵌合部４２Ｂと、によって構成されている。
【００４７】
サムターン軸４２の保持部４２Ａの外周面には、その軸方向に、サムターンカム３０の凹部３０Ｃが嵌合される凸部４２Ｃが突出成形されている。サムターンカム３０の環状部３０Ａは、嵌合部４２Ｂの外周部に嵌合されて保持部４２Ａの凸部４２Ｃに係止される。これにより、サムターンカム３０はサムターン軸４２に保持される。
【００４８】
また、保持部４２Ａの内周部には、図８（ａ）に示されるように、十字形状の開口部４２Ｄが形成されている。
【００４９】
＜連結カム＞
【００５０】
次に、連結カム４３について説明する。
【００５１】
図９（ａ）は連結カム４３を前方から見た略示平面図であり、同図（ｂ）は連結カム４３の略示側面図であり、同図（ｃ）は連結カム４３を後方から見た略示平面図であり、同図（ｄ）は同図（ｃ）のｄ線に沿う略示側断面図である。
【００５２】
連結カム４３は、円筒形状のベース部４３Ａと、このベース部４３Ａの前方において径方向外側に突出して形成された前方突出部４３Ｂと、ベース部４３Ａの後方において軸方向外側に突出形成された直方体形状の後方突出部４３Ｃと、によって構成されている。
【００５３】
連結カム４３のベース部４３Ａには、一端が閉塞された円柱状の中空部４３Ｄが形成されている。この中空部４３Ｄには、周方向に略等間隔に４つの凹部４３Ｅが形成されていると共に、その底部にスプリング受け４３Ｆが形成されている。なお、前方突出部４３Ｂの周方向に形成された環状溝部４３Ｇには、連結カム４３の軸方向の移動を規制する止め輪６３（図１（ｂ）参照）が配設される。
【００５４】
＜連結板＞
【００５５】
次に、連結板４４について説明する。
【００５６】
図１０（ａ）は連結板４４の略示正面図であり、同図（ｂ）は連結板４４の略示側面図である。
【００５７】
連結板４４は、円盤状のベース部４４Ａと、このベース部４４Ａの径方向外側に突出形成された４つの突出部４４Ｂによって構成されている。連結板４４のベース部４４Ａには、キー本体９０Ｂが嵌合可能な平面視が長方形形状の開口部４４Ｃが形成されている。また、連結部４４のベース部４４Ａの外径は、連結カム４３の中空部４３Ｄの内径と略同一であると共に、連結部４４の突出部４４Ｂは、連結カム４３の凹部４３Ｅと略同一形状に成形されており、連結板４４は、連結カム４３の中空部４３Ｄ内に嵌合配置される（図１（ｂ）参照）。なお、連結板４４のベース部４４Ａと、連結カム４３のスプリング受け４３Ｆとの間には、コイルスプリング６４（図１（ｂ）参照）が配設され、連結板４４は、連結カム４３から離反する方向に付勢される。
【００５８】
＜操作部＞
【００５９】
次に、操作部５０について説明する。
【００６０】
図１に示されるように、操作部５０は、主として、キャップ５１と、このキャップ５１に固定される本体５２と、この本体５２に回動可能に配設される摘み５３と、によって構成されている。
【００６１】
＜キャップ＞
【００６２】
図１１（ａ）はキャップ５１を前方から見た外観斜視図であり、同図（ｂ）はキャップ５１を後方から見た外観斜視図である。また、図１２（ａ）はキャップ５１を前方から見た略示正面図であり、同図（ｂ）は同図（ａ）の矢視ｂから見た略示側面図であり、同図（ｃ）は同図（ａ）の矢視ｃから見た略示側面図であり、同図（ｄ）は同図（ａ）の矢視ｄから見た略示側面図であり、同図（ｅ）は同図（ｂ）のｅ線に沿う略示側断面図である。
【００６３】
キャップ５１は、円盤状のベース部５１Ａと、このベース部５１Ａの外縁からベース部５１Ａの厚み方向に延出形成された枠部５１Ｂと、この枠部５１Ｂとは逆方向に突出形成された円筒形状の外筒５１Ｃと、によって構成されている。
【００６４】
キャップ５１のベース部５１Ａには、その中心に、円形の開口部５１Ｄが形成されていると共に、開口部５１Ｄの周囲には、周方向に略等間隔に４つのネジ孔５１Ｅが形成されている。キャップ５１は、このネジ孔５１Ｅを介して複数の取付ネジ（図示省略）によってサムターン本体４１に取り付けられる。また、キャップ５１の枠部５１Ｂの一部には、キャップ５１に収容される摘み５３の形状に合わせて曲面状の凹部５１Ｆが形成されている。
【００６５】
キャップ５１の外筒５１Ｃには、図１（ａ）に示されるコイルスプリング６６および棒状のドライバピン６８が挿入されるドライバピン用貫通孔５１Ｇと、図１（ｂ）に示されるコイルスプリング７０およびボール７２が挿入されるボール用貫通孔５１Ｈと、コイルスプリング６６、７０の一端側の移動を規制する止め板７４（図１（ａ）参照）が嵌合される凹部５１Ｉが形成されている。なお、ボール７２は、後述する本体５２の内筒５２Ａをキャップ５１の外筒５１Ｃに対して回動させる際に、外筒５１Ｃのドライバピン用貫通孔５１Ｇと、内筒５２Ａのタンブラ用貫通孔５２Ｄの位置決めを行うためのものである。
【００６６】
＜本体＞
【００６７】
図１３（ａ）は本体５２を前方から見た外観斜視図であり、同図（ｂ）は本体５２を後方から見た外観斜視図である。また、図１４（ａ）は本体５２を前方から見た略示正面図であり、同図（ｂ）は同図（ａ）の矢視ｂから見た略示側面図であり、同図（ｃ）は同図（ａ）の矢視ｃから見た略示側面図であり、同図（ｄ）は同図（ａ）の矢視ｄから見た略示側面図であり、同図（ｅ）は同図（ａ）の矢視ｅから見た略示側面図である。
【００６８】
本体５２は、キャップ５１の外筒５１Ｃの内側に嵌合される円筒形状の内筒５２Ａと、この内筒５２Ａの一端に一体成形された平面視が半月形状の半月部５２Ｂによって構成されている。
【００６９】
本体５２の内筒５２Ａには、軸方向に、キー本体９０Ｂが挿通可能な矩形状の貫通孔５２Ｃが形成されている。また、内筒５２Ａの外周面には、ドライバピン６８に対して同軸的に配設される棒状のタンブラ８０（図１（ｂ）参照）が挿入されるタンブラ用貫通孔５２Ｄと、ボール７２が嵌合可能なボール用凹部５２Ｅが形成されている。本体５２の半月部５２Ｂには、棒状の平行ピン７６（図１（ｂ）参照）を回転可能に支持する軸支持部５２Ｆが突出形成されている。
【００７０】
＜摘み＞
【００７１】
図１５（ａ）は摘み５３の略示平面図であり、同図（ｂ）は摘み５３の略示側面図である。
【００７２】
摘み５３は、平面視が略Ｖ字形状の部材からなり、平行ピン７６を挿通可能な貫通孔５３Ａが形成されている。摘み５３は、平行ピン７６を介して本体５２の軸支持部５２Ｆに取り付けられて本体５２に対して回動可能であると共に、平行ピン７６に取り付けられたトーションスプリング７８（図１（ｂ）参照）によってキャップ５１側に付勢される。
【００７３】
＜キー＞
【００７４】
次に、キー９０について説明する。
【００７５】
図１６（ａ）はキー９０をキー本体側から見た外観斜視図であり、同図（ｂ）はキー９０をヘッド部側から見た外観斜視図であり、同図（ｃ）はキー９０の略示側面図である。
【００７６】
キー９０は、平面視が三角形状のヘッド部９０Ａと、このヘッド部９０Ａを基端として延出形成された棒状のキー本体９０Ｂによって構成されている。キー９０のヘッド部９０Ａは、本体５２と摘み５３によって形成される三角形状のスペース内に収容が可能であり、キー９０は全体が操作部５０に収容される（図１７（ａ）、（ｂ）参照）。また、キー９０のキー本体９０Ｂの表面には、同図（ｃ）に示されるように、２つのくぼみ（ディンプル）９０Ｃが形成されている。
【００７７】
次に、サムターン１０の作用について詳細に説明する
【００７８】
図１７（ａ）はサムターン１０の略示正面図であり、同図（ｂ）はサムターン１０の略示側面図であり、同図（ｃ）はサムターン１０の略示背面図である。また、図１８はキー９０を本体５２の内筒５２Ａに挿入した状態（回動可能状態）を示す略示断面図である。
【００７９】
図１８に示されるように、キー本体９０Ｂを本体５２の内筒５２Ａに挿入すると、ドライバピン６８によって外筒５１Ｃから離反する方向（図１８の下方）に付勢されている各タンブラ８０が、ドライバピン６８からの付勢力に逆らって外筒５１Ｃ側（図１８の上方）に所定量だけスライドする。各タンブラ８０のスライド量は、キー本体９０Ｂに形成されたディンプル９０Ｃの深さによって決まるが、キー本体９０Ｂのディンプル９０Ｃの深さは、各タンブラ８０の一端面が内筒５２Ａの外周面と面一となるように設計される。したがって、キー本体９０Ｂの挿入に伴って各タンブラ８０がスライドすると、各タンブラ８０の一端面は内筒５２Ａの外周面に面一となり、ドライバピン６８の一端面は外筒５１Ｃの内周面に面一となる。これにより、内筒５２Ａは外筒５１Ｃに対して回動することが可能となり、操作部５０は、駆動部４０を介してサムターンカム３０を回動させることが可能な「回動可能状態」となる。
【００８０】
また、キー本体９０Ｂは、内筒５２Ａを貫通して、連結板４４の開口部４４Ｃに嵌合する。これにより、キー９０は、本体５２の回転駆動力を連結板４４に伝達する動力伝達部材として機能し、本体５２の回転駆動力は、本体５２→キー９０→連結板４４→連結カム４３→サムターン軸４２→サムターンカム３０の順で伝達される。
【００８１】
さらに、摘み５３が、図１（ａ）に示される「操作制限位置」にある場合（摘み５３がキャップ５１のベース部５１Ａに密着した状態になっている場合）には、摘み５３を把持することができず摘み５３によってサムターンカム３０を回動させることはできないが、摘み５３が、図１（ｂ）に示される「操作可能位置」にある場合（摘み５３がキャップ５１のベース部５１Ａに対して略垂直に起立した状態になっている場合）には、摘み５３を把持して回転することによって摘み５３によってサムターン３０を回動させることが可能となる。
【００８２】
したがって、トーションスプリング７８によって「操作制限位置」に保持されている摘み５３を、トーションスプリング７８の付勢力に逆らって「操作可能位置」まで引き起こし、本体５２を時計回り（または反時計回り）に回転すれば、サムターンカム３０を施錠位置または開錠位置まで回動することができる。
【００８３】
図１９はキー９０を本体５２の内筒５２Ａから抜いた状態（回動不能状態）を示す略示断面図である。
【００８４】
図１９に示されるように、キー本体９０Ｂを本体５２の内筒５２Ａから抜くと、タンブラ８０は、ドライバピン６８に押圧されて外筒５１Ｃから離反する方向にスライドすると共に、ドライバピン６８は、内筒５２Ａのタンブラ用貫通孔５２Ｄに入り込み、外筒５１Ｃと内筒５２Ａに跨る位置へとスライドする。これにより、内筒５２Ａは外筒５１Ｃに対して回動することが不可能となり、操作部５０は、駆動部４０を介してサムターンカム３０を回動させることが不能な「回動不能状態」となる。また、キー本体９０Ｂと連結板４４との嵌合が解かれるため、キー９０は、本体５２の回転駆動力を連結板４４に伝達する動力伝達部材としての機能を失うことになる。したがって、キー９０が抜かれた状態では本体５２を回転させることも、駆動部４０を回転駆動することもできず、室内側からはサムターンカム３０を施錠位置または開錠位置まで回動することはできない。なお、連結板４４、連結カム４３、サムターン軸４２、サムターンカム３０は、操作部５０に対して回動することが可能であるため、キー９０が抜かれた状態でも、サムターンカム３０を室外側から回動させることによって錠前を施開錠することは可能である。
【００８５】
以上説明したように、本実施形態に係るサムターン１０は、錠前の施錠を行う施錠位置と錠前の開錠を行う開錠位置との間を少なくとも回動可能なサムターンカム３０と、サムターン３０を回動させる駆動部４０と、駆動部４０を介してサムターンカム３０を回動させることが可能な回動可能状態、および、駆動部４０を介してサムターンカム３０を回動させることが不能な回動不能状態の切り替えが可能な操作部５０と、操作部５０を回動可能状態または回動不能状態にすることが可能で、操作部５０を回動可能状態にした場合には、操作部５０の駆動力を駆動部４０に伝達する動力伝達手段として機能し、操作部５０を回動不能状態にした場合には、動力伝達手段としての機能を失うキー９０と、を有して構成されている。
【００８６】
このようなサムターン１０によれば、錠前の施開錠を行うためには、操作部を回動可能状態とし、且つ、操作部と駆動部の動力伝達を行わせるキーを使用する必要があるため、不正な解錠を確実に防止することができる。
【００８７】
また、操作部５０は、キー９０の少なくとも一部が挿入可能な鍵穴（本実施形態では内筒５２Ａ）を有し、キー９０が鍵穴に挿入された場合に回動可能状態となり、キー９０が鍵穴から抜かれた場合に回動不能状態となるため、キーの抜き差しによって回動可能状態と回動不能状態を容易に切り替えることができ、施錠および開錠の操作性を高めることができる。
【００８８】
また、操作部５０は、キー９０全体が収容可能に構成されているため、サムターンの操作時にキーが邪魔になることがなく、操作性を高めることができる上に、キーを目立たなくすることができ、外観を損なうことがない。
【００８９】
また、操作部５０は、サムターンカム３０の回動が可能となる操作可能位置、および、サムターンカム３０の回動が制限される操作制限位置の２つの位置を有する摘み５３を備えているため、錠前の施開錠を行うためには、摘み５３を操作制限位置から操作可能位置とする操作が必要で、不正な解錠をより確実に防止することができる。
【００９０】
また、摘み５３を操作可能位置から操作制限位置に付勢する摘み付勢手段（本実施形態ではトーションスプリング）７８を備えたため、錠前の施開錠を行うためには、摘み付勢手段７８の付勢力に逆らって摘み５３を操作する必要があり、不正な解錠をより確実に防止することができる。
【００９１】
なお、本発明のサムターンは、上記実施形態に限定されるものではなく、本発明の要旨を逸脱しない範囲内において種々変更を加え得ることは勿論である。
【００９２】
したがって、例えば、本発明に係る駆動部や操作部は、本実施形態に係る駆動部４０や操作部５０の構成に限定されるものではなく、駆動部はサムターンカムを回動できればよく、また、操作部は駆動部を介してサムターンカムを回動させることが可能な回動可能状態、および、駆動部を介してサムターンカムを回動させることが不能な回動不能状態の切り替えが可能なものであればよい。
【図面の簡単な説明】
【００９３】
【図１】本実施形態に係るサムターンの略示断面図である。
【図２】同サムターンを扉の室内側に取り付けた様子を示す外観斜視図である。
【図３】（ａ）はサムターン座を前方から見た外観斜視図であり、（ｂ）はサムターン座を後方から見た外観斜視図である。
【図４】（ａ）はサムターンカムの略示平面図であり、（ｂ）は（ａ）の矢視ｂから見た略示側面図であり、（ｃ）は（ａ）の矢視ｃから見た略示正面図である。
【図５】（ａ）はサムターン本体を前方から見た外観斜視図であり、（ｂ）はサムターン本体を後方から見た外観斜視図である。
【図６】（ａ）はサムターン本体をフランジ部側から見た略示正面図であり、（ｂ）は（ａ）のｂ線に沿う略示側断面図である。
【図７】（ａ）はサムターン軸を前方から見た外観斜視図であり、（ｂ）はサムターン軸を後方から見た外観斜視図である。
【図８】（ａ）はサムターン軸を前方から見た略示平面図であり、（ｂ）は（ａ）のｂ線に沿う略示側断面図である。
【図９】（ａ）は連結カムを前方から見た略示平面図であり、（ｂ）は連結カムの略示側面図であり、（ｃ）は連結カムを後方から見た略示平面図であり、（ｄ）は（ｃ）のｄ線に沿う側断面図である。
【図１０】（ａ）は連結板の略示正面図であり、（ｂ）は連結板の略示側面図である。
【図１１】（ａ）はキャップを前方から見た外観斜視図であり、（ｂ）はキャップを後方から見た外観斜視図である。
【図１２】（ａ）はキャップを前方から見た略示正面図であり、（ｂ）は（ａ）の矢視ｂから見た略示側面図であり、（ｃ）は（ａ）の矢視ｃから見た略示側面図であり、（ｄ）は（ａ）の矢視ｄから見た略示側面図であり、（ｅ）は（ｂ）のｅ線に沿う側断面図である。
【図１３】（ａ）は本体を前方から見た外観斜視図であり、（ｂ）は本体を後方から見た外観斜視図である。
【図１４】（ａ）は本体を前方から見た略示正面図であり、（ｂ）は（ａ）の矢視ｂから見た略示側面図であり、（ｃ）は（ａ）の矢視ｃから見た略示側面図であり、（ｄ）は（ａ）の矢視ｄから見た略示側面図であり、（ｅ）は（ａ）の矢視ｅから見た略示側面図である。
【図１５】（ａ）は摘みの略示平面図であり、（ｂ）は摘みの略示側面図である。
【図１６】（ａ）はキーをキー本体側から見た外観斜視図であり、（ｂ）はキーをヘッド部側から見た外観斜視図であり、（ｃ）はキーの略示側面図である。
【図１７】（ａ）はサムターンの略示正面図であり、（ｂ）はサムターンの略示側面図であり、（ｃ）はサムターンの略示背面図である。
【図１８】キーを本体の内筒に挿入した状態を示す略示断面図である。
【図１９】キーを本体の内筒から抜いた状態を示す略示断面図である。
【符号の説明】
【００９４】
１０  サムターン
１２  扉
１４  デッドボルト
２０  サムターン座
３０  サムターンカム
４０  駆動部
４１  サムターン本体
４２  サムターン軸
４３  連結カム
４４  連結板
５０  操作部
５１  キャップ
５２  本体
５３  摘み
６２、６４、６６、７０  コイルスプリング
６３  止め輪
６８  ドライバピン
７２  ボール
７４  止め板
７６  平行ピン
７８  トーションスプリング
８０  タンブラ
９０  キー
【図１】
2008050756.tif 000003
【図２】
2008050756.tif 000004
【図３】
2008050756.tif 000005
【図４】
2008050756.tif 000006
【図５】
2008050756.tif 000007
【図６】
2008050756.tif 000008
【図７】
2008050756.tif 000009
【図８】
2008050756.tif 000010
【図９】
2008050756.tif 000011
【図１０】
2008050756.tif 000012
【図１１】
2008050756.tif 000013
【図１２】
2008050756.tif 000014
【図１３】
2008050756.tif 000015
【図１４】
2008050756.tif 000016
【図１５】
2008050756.tif 000017
【図１６】
2008050756.tif 000018
【図１７】
2008050756.tif 000019
【図１８】
2008050756.tif 000020
【図１９】
2008050756.tif 000021